(57)【要約】【課題】不正な二次元バーコードを利用した無線ＬＡＮ接続が行われる可能性を低減できる無線ＬＡＮ接続システムを提供する。【解決手段】無線ＬＡＮ接続システム１は、外部端末と無線ＬＡＮ通信を行う通信部４と、外部端末が通信部４と無線ＬＡＮ通信を行う際に利用される、無線ＬＡＮ通信に必要な設定情報を格納した識別子を作成する作成部３と、識別子に格納された設定情報を記憶し、所定の条件に従って設定情報を削除する記憶部５とを含む無線ＬＡＮ通信端末２を備える。設定情報には識別子の使用可能回数が含まれ、所定の条件は使用可能回数が０であり、記憶部５は、外部端末が識別子を利用して無線ＬＡＮ通信を行った回数を使用可能回数から減じてもよい。設定情報には識別子の使用可能時間が含まれ、所定の条件は使用可能時間が０であり、記憶部５は、使用可能時間を管理してもよい。【選択図】図１６
2014140101.tif 000002
【特許請求の範囲】
【請求項１】
外部端末と無線ＬＡＮ通信を行う通信部と、
外部端末が前記通信部と無線ＬＡＮ通信を行う際に利用される、前記無線ＬＡＮ通信に必要な設定情報を格納した識別子を作成する作成部と、
前記識別子に格納された設定情報を記憶し、所定の条件に従って前記設定情報を削除する記憶部とを含む無線ＬＡＮ通信端末を備える
ことを特徴とする無線ＬＡＮ接続システム。
【請求項２】
設定情報には識別子の使用可能回数が含まれ、所定の条件は前記使用可能回数が０であり、
記憶部は、外部端末が前記識別子を利用して無線ＬＡＮ通信を行った回数を前記使用可能回数から減じる
請求項１記載の無線ＬＡＮ接続システム。
【請求項３】
設定情報には識別子の使用可能時間が含まれ、所定の条件は前記使用可能時間が０であり、
記憶部は、前記使用可能時間を管理する
請求項１または請求項２記載の無線ＬＡＮ接続システム。
【請求項４】
無線ＬＡＮ通信端末は、設定情報を入力する入力部を含む
請求項１から請求項３のうちのいずれか１項に記載の無線ＬＡＮ接続システム。
【請求項５】
外部端末と無線ＬＡＮ通信により通信し、
外部端末が無線ＬＡＮ通信を行う際に利用される、前記無線ＬＡＮ通信に必要な設定情報を格納した識別子を作成し、
前記識別子に格納された設定情報を記憶し、
所定の条件に従って前記設定情報を削除する
ことを特徴とする無線ＬＡＮ接続方法。
【請求項６】
設定情報には識別子の使用可能回数が含まれ、所定の条件は前記使用可能回数が０であり、
外部端末が前記識別子を利用して無線ＬＡＮ通信を行った回数を前記使用可能回数から減じる
請求項５記載の無線ＬＡＮ接続方法。
【請求項７】
設定情報には識別子の使用可能時間が含まれ、所定の条件は前記使用可能時間が０であり、
前記使用可能時間を管理する
請求項５または請求項６記載の無線ＬＡＮ接続方法。
【請求項８】
コンピュータに、
外部端末と無線ＬＡＮ通信を行う通信処理、
外部端末が無線ＬＡＮ通信を行う際に利用される、前記無線ＬＡＮ通信に必要な設定情報を格納した識別子を作成する作成処理、
前記識別子に格納された設定情報を記憶する記憶処理、および
所定の条件に従って前記設定情報を削除する削除処理
を実行させるための無線ＬＡＮ接続プログラム。
【請求項９】
設定情報には識別子の使用可能回数が含まれ、所定の条件は前記使用可能回数が０であり、
コンピュータに、
外部端末が前記識別子を利用して無線ＬＡＮ通信を行った回数を前記使用可能回数から減ずる減少処理を実行させる
請求項８記載の無線ＬＡＮ接続プログラム。
【請求項１０】
設定情報には識別子の使用可能時間が含まれ、所定の条件は前記使用可能時間が０であり、
コンピュータに、
前記使用可能時間を管理する管理処理を実行させる
請求項８または請求項９記載の無線ＬＡＮ接続プログラム。
【発明の詳細な説明】
【技術分野】
【０００１】
本発明は、無線ＬＡＮ接続システム、無線ＬＡＮ接続方法および無線ＬＡＮ接続プログラムに関する。
【背景技術】
【０００２】
スマートフォン等の携帯型情報端末を使って無線ＬＡＮ（Ｌｏｃａｌ  Ａｒｅａ  Ｎｅｔｗｏｒｋ）装置と通信可能に接続するとき、無線ＬＡＮ接続をするために必要な設定を携帯型情報端末に行う作業が求められる。
【０００３】
無線ＬＡＮ接続をするために、ユーザには無線ＬＡＮで特定のネットワークを指定するための識別子であるＳＳＩＤ（Ｓｅｒｖｉｃｅ  Ｓｅｔ  ＩＤ）や、ＷＥＰ（Ｗｉｒｅｄ  Ｅｑｕｉｖａｌｅｎｔ  Ｐｒｉｖａｃｙ）などの無線通信における暗号化方法等の、無線ＬＡＮ接続に必要な設定情報を携帯型情報端末に入力することが求められる。無線ＬＡＮ接続に詳しくないユーザにとって、無線接続の設定は困難な作業である。
【０００４】
二次元バーコードであるＱＲコード（登録商標）を使用して、無線設定を行うことが出来る通信システムがある。その通信システムを使用した場合、携帯型情報端末は、ＱＲコードを読み取る機能があればＱＲコードを使用して無線ＬＡＮ装置と接続できる。
【０００５】
この方法を使用する場合には、ユーザは、ＱＲコードを読み取るだけで、無線ＬＡＮ接続の設定を行うことができる。よって、設定情報を入力して無線ＬＡＮ接続を設定する方法に比べると、ＱＲコードを使用して無線ＬＡＮ接続を設定する方法は、ユーザにとって比較的簡単である。
【０００６】
特許文献１には、ＱＲコードを読み取ることで簡単に無線ＬＡＮの設定をすることができる通信システムが記載されている。
【先行技術文献】
【特許文献】
【０００７】
【特許文献１】特開２００６−２６１９３８号公報
【発明の概要】
【発明が解決しようとする課題】
【０００８】
しかし特許文献１に記載されたＱＲコードを使用した無線設定には、誰でも簡単にできる分、安全面で懸念される点がある。例えば、表示されたＱＲコードがコピーされた場合、無線ＬＡＮ装置の設定値を変更しない限り、本来接続させてはいけないユーザに不正利用を許してしまう。
【０００９】
また、ＱＲコードが盗み撮りされた場合、そのＱＲコード内にある無線ＬＡＮ装置の情報が流出してしまい、情報が悪用されてしまうケースも考えられる。
【００１０】
そこで、本発明は、不正な二次元バーコードを利用した無線ＬＡＮ接続が行われる可能性を低減できる無線ＬＡＮ接続システム、無線ＬＡＮ接続方法および無線ＬＡＮ接続プログラムを提供することを目的とする。
【課題を解決するための手段】
【００１１】
本発明による無線ＬＡＮ接続システムは、外部端末と無線ＬＡＮ通信を行う通信部と、外部端末が通信部と無線ＬＡＮ通信を行う際に利用される、無線ＬＡＮ通信に必要な設定情報を格納した識別子を作成する作成部と、識別子に格納された設定情報を記憶し、所定の条件に従って設定情報を削除する記憶部とを含む無線ＬＡＮ通信端末を備えることを特徴とする。
【００１２】
本発明による無線ＬＡＮ接続方法は、外部端末と無線ＬＡＮ通信により通信し、外部端末が無線ＬＡＮ通信を行う際に利用される、無線ＬＡＮ通信に必要な設定情報を格納した識別子を作成し、識別子に格納された設定情報を記憶し、所定の条件に従って設定情報を削除することを特徴とする。
【００１３】
本発明による無線ＬＡＮ接続プログラムは、コンピュータに、外部端末と無線ＬＡＮ通信を行う通信処理、外部端末が無線ＬＡＮ通信を行う際に利用される、無線ＬＡＮ通信に必要な設定情報を格納した識別子を作成する作成処理、識別子に格納された設定情報を記憶する記憶処理、および所定の条件に従って設定情報を削除する削除処理を実行させることを特徴とする。
【発明の効果】
【００１４】
本発明によれば、不正な二次元バーコードを利用した無線ＬＡＮ接続が行われる可能性を低減できる。
【図面の簡単な説明】
【００１５】
【図１】本発明による無線ＬＡＮ接続システムの接続処理の動作を示す説明図である。
【図２】本発明による無線ＬＡＮ接続システムの実施形態の構成例を示すシステム構成図である。
【図３】無線ＬＡＮ装置２００の構成例を示すブロック図である。
【図４】無線ＬＡＮ装置２００に保存されている設定情報の一例を示す説明図である。
【図５】第１の実施形態における無線ＬＡＮ装置２００に保存されている設定情報の一例を示す説明図である。
【図６】第１の実施形態における無線ＬＡＮ接続システム１００の接続処理の動作を示す説明図である。
【図７】第１の実施形態における無線ＬＡＮ接続システム１００の接続処理の動作を示すフローチャートである。
【図８】第１の実施形態における無線ＬＡＮ接続システム１００の接続処理の動作の具体例を示す説明図である。
【図９】第１の実施形態における無線ＬＡＮ接続システム１００の接続処理の動作の具体例を示すフローチャートである。
【図１０】第２の実施形態における無線ＬＡＮ装置２００に保存されている設定情報の一例を示す説明図である。
【図１１】第２の実施形態における無線ＬＡＮ接続システム１００の接続処理の動作を示す説明図である。
【図１２】第２の実施形態における無線ＬＡＮ接続システム１００の接続処理の動作を示すフローチャートである。
【図１３】第３の実施形態における無線ＬＡＮ装置２００に保存されている設定情報の一例を示す説明図である。
【図１４】第３の実施形態における無線ＬＡＮ接続システム１００の接続処理の動作を示す説明図である。
【図１５】第３の実施形態における無線ＬＡＮ接続システム１００の接続処理の動作を示すフローチャートである。
【図１６】無線ＬＡＮ接続システムの概要を示すブロック図である。
【発明を実施するための形態】
【００１６】
実施形態１．
以下、本発明の実施形態を図面を参照して説明する。図１は、本発明による無線ＬＡＮ接続システムの接続処理の動作を示す説明図である。図１に示す無線ＬＡＮ接続システム１００には、無線ＬＡＮ装置２００と、携帯型情報端末３００と、携帯型情報端末３１０とが含まれる。
【００１７】
無線ＬＡＮ装置２００は、携帯型情報端末と無線通信する機能を有する。また、無線ＬＡＮ装置２００は、携帯型情報端末が無線ＬＡＮ装置２００と無線通信をするために必要な情報が格納されたＱＲコードを作成する機能を有する。
【００１８】
携帯型情報端末３００および携帯型情報端末３１０は、無線ＬＡＮ装置２００と無線通信する機能を有する。使用される通信方式として、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）がある。
【００１９】
携帯型情報端末３００および携帯型情報端末３１０は、ＱＲコードを読み取る機能を有する。携帯型情報端末３００および携帯型情報端末３１０は、例えば、スマートフォンである。
【００２０】
図１には、無線ＬＡＮ装置２００が、使用可能回数が１回のＱＲコード５００を作成した場合の接続処理の例が示されている。無線ＬＡＮ装置２００がＱＲコード５００を作成した後（ステップＳ１）、携帯型情報端末３００は、無線ＬＡＮ装置２００へ接続するためにＱＲコード５００を読み取る（ステップＳ２）。
【００２１】
ＱＲコード５００を読み取ると、携帯型情報端末３００は、無線ＬＡＮ装置２００に対して接続を要求する（ステップＳ３）。ＱＲコード５００の使用可能回数は１回であるため、先にＱＲコード５００を読み取った携帯型情報端末３００は、無線ＬＡＮ装置２００に接続できる。
【００２２】
次いで、携帯型情報端末３１０は、無線ＬＡＮ装置２００へ接続するためにＱＲコード５００を読み取ったとする（ステップＳ４）。ＱＲコード５００を読み取った携帯型情報端末３１０は、無線ＬＡＮ装置２００に対して接続を要求する（ステップＳ５）。この場合、ＱＲコード５００の残り使用回数が０であるため、携帯型情報端末３１０は無線ＬＡＮ装置２００に接続できない。
【００２３】
図２は、本発明による無線ＬＡＮ接続システムの実施形態の構成例を示すシステム構成図である。図２は、図１に示す接続処理が終了した後のシステム構成図を示す。図２に示す無線ＬＡＮ接続システム１００には、無線ＬＡＮ装置２００と、携帯型情報端末３００が含まれる。
【００２４】
図２には、無線ＬＡＮ装置２００が、携帯型情報端末３００に通信網４００を介して接続されている例が示されている。なお、図２には１台の携帯型情報端末３００が示されているが、携帯型情報端末の台数は２台以上であってもよい。
【００２５】
通信網４００は、無線ＬＡＮである。携帯型情報端末３００は、無線ＬＡＮ装置２００と通信可能な状態である。
【００２６】
次に、無線ＬＡＮ装置２００の詳細な構成を図３を参照して説明する。図３は、無線ＬＡＮ装置２００の構成例を示すブロック図である。
【００２７】
図３に示す無線ＬＡＮ装置２００は、入力部２０１と、作成部２０２と、出力部２０３と、制御部２０４と、通信部２０５と、記憶部２０６とを含む。
【００２８】
入力部２０１は、ユーザからの指示を入力する機能を有する。ユーザからの指示には、ＱＲコードの作成やＱＲコードの出力等がある。また、入力部２０１は、ＱＲコードを作成するために必要なパラメータをユーザが入力する機能を有する。
【００２９】
入力部２０１は、例えばＷｅｂブラウザを利用したＧＵＩ（Ｇｒａｐｈｉｃａｌ  Ｕｓｅｒ  Ｉｎｔｅｒｆａｃｅ）画面により実現される。ＧＵＩ画面は、ＱＲコードの生成項目やＱＲコードの出力項目を含む。ユーザは、これらの項目を指定することによって、無線ＬＡＮ装置２００へ指示を入力する。
【００３０】
入力されるパラメータは、ＭＡＣ（Ｍｅｄｉａ  Ａｃｃｅｓｓ  Ｃｏｎｔｒｏｌ）アドレス６００、ＳＳＩＤ６０１、暗号モード６０２、暗号キー６０３、使用可能回数６０４、使用可能期間６０５および乱数６０６である。
【００３１】
ＭＡＣアドレス６００、ＳＳＩＤ６０１、暗号モード６０２および暗号キー６０３は、携帯型情報端末が無線ＬＡＮ装置と無線接続をするために必要な設定情報である。これらの設定情報は、ＷＰＳ（Ｗｉ−Ｆｉ  Ｐｒｏｔｅｃｔｅｄ  Ｓｅｔｕｐ）接続、手動接続、ＱＲコードを利用した接続の、どの接続を行う際にも必要な情報である。
【００３２】
使用可能回数６０４は、作成されたＱＲコードを読み取ることで携帯型情報端末３００が無線接続できる回数である。ユーザは、使用可能回数６０４を自由に決めることができる。ユーザは、使用可能回数６０４を無制限に設定してもよい。ＱＲコードを使用できる回数は、ＱＲコードを生成した無線ＬＡＮ装置２００によって管理される。
【００３３】
使用可能期間６０５は、作成されたＱＲコードを読み取ることで携帯型情報端末３００が無線接続できる期間である。ユーザは、使用可能期間６０５を自由に決めることができる。ＱＲコードを使用できる期間は、ＱＲコードを生成した無線ＬＡＮ装置２００によって管理される。
【００３４】
例として、使用可能回数を設定せず使用可能期間を１時間とした場合、ユーザは、ＱＲコードを読み取ることで実施される無線接続を、１時間以内であれば何回でもできる。１時間を越えると、ユーザは、ＱＲコードを読み取っても無線接続できない。
【００３５】
なお、ＱＲコードを作成する際に、ユーザは、使用可能回数６０４と使用可能期間６０５のどちらか一つを入力する。また、ユーザは、使用可能回数６０４と使用可能期間６０５の両方を入力してもよい。
【００３６】
乱数６０６は、全く同じＱＲコードが生成されないように加えられるパラメータである。乱数６０６は、ＱＲコードを作成する際に作成部２０２によって自動的に割り振られる値である。
【００３７】
作成部２０２は、ユーザから指示があると、無線ＬＡＮ装置２００内にあるデータおよび入力されたパラメータに基づいてＱＲコードを作成する機能を有する。作成部２０２は、例えば、ＱＲコードを生成するアプリケーションによって実現される。
【００３８】
出力部２０３は、作成部２０２で作成されたＱＲコードを出力する機能を有する。ＱＲコードの出力方法には、紙に印刷する、データとして外部記憶媒体に保存する等の方法がある。
【００３９】
制御部２０４は、ユーザからの指示に基づき、ＱＲコードの作成、ＱＲコードの出力およびＱＲコードのデータの保存を各部に指示する機能を有する。
【００４０】
また、制御部２０４は、携帯型情報端末３００から接続要求された時に、どの方法で接続されたか判別する機能を有する。
【００４１】
また、制御部２０４は、記憶部２０６に記憶されている、作成されたＱＲコードの残り使用回数、または作成されたＱＲコードの残り使用期間を管理する機能を有する。
【００４２】
通信部２０５は、制御部２０４からの指示により、通信網４００を介して携帯型情報端末３００と通信する機能を有する。通信部２０５は、携帯型情報端末３００と無線ＬＡＮで通信する。
【００４３】
記憶部２０６は、作成されたＱＲコードのデータを記憶する機能を有する。また、記憶部２０６は、作成されたＱＲコードを使用可能な残り使用回数、または作成されたＱＲコードを使用可能な残り使用期間を記憶する機能を有する。
【００４４】
記憶部２０６に記憶されるＱＲコードのデータの中には、そのＱＲコード接続専用の設定情報が含まれる。ここで、ＷＰＳ等を使用した一般的な無線ＬＡＮの接続方法で使用されるＳＳＩＤの種別（以下、ＳＳＩＤ種別６０７という。）をＳＳＩＤ（Ｎ）、ＱＲコード接続専用のＳＳＩＤのＳＳＩＤ種別６０７をＳＳＩＤ（Ｑ）とする。
【００４５】
図４は、無線ＬＡＮ装置２００に保存されている設定情報の一例を示す説明図である。図４に示す（ＱＲ＿ｃｏｄｅ）は、ＱＲコードに含まれている値を意味する。図４に示すように、ＳＳＩＤ種別６０７がＳＳＩＤ（Ｎ）である場合、ＳＳＩＤ６０１、暗号モード６０２および暗号キー６０３の各設定情報は、いずれもユーザにより入力された値となる。
【００４６】
図５は、第１の実施形態における無線ＬＡＮ装置２００に保存されている設定情報の一例を示す説明図である。図５に示す（ＱＲ＿ｃｏｄｅ）は、ＱＲコードに含まれている値を意味する。
【００４７】
図５は、ＱＲコードを作成する際に使用可能回数６０４が入力され、入力された使用可能回数６０４が「１回」、生成された乱数６０６が「１２３４５６」である場合の設定情報を示す。
【００４８】
図５に示すように、ＳＳＩＤ種別６０７がＳＳＩＤ（Ｑ）である場合、ＳＳＩＤ（Ｎ）の場合と異なり、ＳＳＩＤ６０１は、入力されたＳＳＩＤ＋入力されたＱＲコードの使用可能回数となる。また暗号キー６０３は、入力された暗号キー＋乱数６０６となる。
【００４９】
携帯型情報端末３００から接続要求をされると、制御部２０４は、無線ＬＡＮ装置２００に対してＷＰＳ等を使用して接続したのか、ＱＲコードを読み取って接続したのか判別する。
【００５０】
ＷＰＳ等の一般的な接続方法で無線ＬＡＮ装置２００に接続した場合、携帯型情報端末３００は、ＳＳＩＤ種別６０７がＳＳＩＤ（Ｎ）のＳＳＩＤ６０１に接続を要求する。ＱＲコードを読み取って接続した場合、携帯型情報端末３００は、使用可能回数６０４と乱数６０６を含む、ＳＳＩＤ種別６０７がＳＳＩＤ（Ｑ）のＳＳＩＤ６０１に接続を要求する。その結果、制御部２０４は、携帯型情報端末３００からどのような方法で接続を要求されたか判別できる。
【００５１】
接続方法がＱＲコードを利用した接続である場合、制御部２０４は、ＱＲコードの残り使用可能回数を減ずる。
【００５２】
ＳＳＩＤ種別６０７がＳＳＩＤ（Ｑ）のＳＳＩＤ６０１は、残り使用回数が０になったとき、制御部２０４により自動的に削除される。すなわち、作成されたＱＲコードを使用して接続を要求しても、使用可能回数が上限に達していれば、既に専用のＳＳＩＤ６０１が削除されているため、携帯型情報端末３００は接続できない。
【００５３】
なお、本実施形態における出力部２０３および制御部２０４は、例えば、プログラムに従って動作するＣＰＵ（Ｃｅｎｔｒａｌ  Ｐｒｏｃｅｓｓｉｎｇ  Ｕｎｉｔ）によって実現される。
【００５４】
また、通信部２０５は、プログラムに従って動作するＣＰＵと、ネットワークカード等の通信制御装置とによって実現される。
【００５５】
また、記憶部２０６は、例えば、データベースシステムといった記憶装置によって実現される。
【００５６】
以下、本発明による接続処理の動作を、図６と図７を参照して説明する。図６は、第１の実施形態における無線ＬＡＮ接続システム１００の接続処理の動作を示す説明図である。図７は、第１の実施形態における無線ＬＡＮ接続システム１００の接続処理の動作を示すフローチャートである。
【００５７】
ここでは、ＱＲコードを作成する際にユーザが使用可能回数６０４を入力し、ＱＲコードが生成されてから所定の回数だけ使用された後、そのＱＲコードを読み取ることで行われる接続処理を不可にする仕組みについて説明する。
【００５８】
図６の説明図を参照して、第１の実施形態における接続処理の動作の概要を説明する。ユーザは、無線ＬＡＮ装置２００用のＱＲコード５０１を作成するためにパラメータを入力する（ステップＳ００１）。
【００５９】
ユーザが入力する項目は、ＭＡＣアドレス６００、ＳＳＩＤ６０１、暗号モード６０２、暗号キー６０３、使用可能回数６０４の５項目である。ＭＡＣアドレス６００、ＳＳＩＤ６０１、暗号モード６０２および暗号キー６０３には、無線ＬＡＮ装置２００の情報が入力される。使用可能回数６０４には、ユーザが決めた任意の回数が入力される。
【００６０】
ユーザが５つのパラメータを入力すると、無線ＬＡＮ装置２００が自動的に乱数６０６を生成する。パラメータが全て用意されると、無線ＬＡＮ装置２００がＱＲコード５０１を作成する（ステップＳ００２）。
【００６１】
携帯型情報端末３００は、無線ＬＡＮ装置２００と無線通信するために、作成されたＱＲコード５０１を読み取る（ステップＳ００３）。ＱＲコード５０１を読み取ることで、携帯型情報端末３００は無線通信するために必要な設定情報を取得する。取得した設定情報を使用して、携帯型情報端末３００は無線ＬＡＮ装置２００へ接続を要求する（ステップＳ００４）。
【００６２】
携帯型情報端末３００から接続を要求されると、無線ＬＡＮ装置２００は、読み取られたＱＲコード５０１の残り使用回数が０より大きければ携帯型情報端末３００と接続する。残り使用回数が０であれば、無線ＬＡＮ装置２００は、携帯型情報端末３００と接続しない（ステップＳ００５）。
【００６３】
次に、図７のフローチャートを参照して、第１の実施形態における接続処理の動作を説明する。ユーザは、入力部２０１に無線ＬＡＮ装置２００用のＱＲコード５０１を生成するためのパラメータを入力する（ステップＳ１０１）。ここでは、使用可能回数６０４にＸが入力されるとする。
【００６４】
パラメータが入力されると、作成部２０２は、ＱＲコード５０１を作成するために必要な乱数６０６を生成する（ステップＳ１０２）。パラメータが全て揃うと、作成部２０２は、ＱＲコード５０１を作成する（ステップＳ１０３）。
【００６５】
ＱＲコード５０１が作成されると、制御部２０４は、出力部２０３からＱＲコード５０１を出力する（ステップＳ１０４）。また、制御部２０４は、ＱＲコード５０１のデータを記憶部２０６に保存する（ステップＳ１０５）。
【００６６】
制御部２０４は、ＱＲコード５０１の残り使用回数Ｘ´を保存する。使用可能回数６０４はＸ回なので、制御部２０４は、Ｘ´＝Ｘとする（ステップＳ１０６）。
【００６７】
携帯型情報端末３００は、無線ＬＡＮ装置２００と無線通信するために、作成されたＱＲコード５０１を読み取る（ステップＳ１０７）。ＱＲコード５０１から読み取った設定情報を用いて、携帯型情報端末３００は、無線ＬＡＮ装置２００へ接続を要求する（ステップＳ１０８）。
【００６８】
携帯型情報端末３００から接続を要求されると、ＱＲコード５０１の残り使用回数Ｘ´がＸ´＞０の場合（ステップＳ１０９のＹｅｓ）、ＱＲコード５０１専用のＳＳＩＤ６０１が存在するため、通信部２０５は携帯型情報端末３００と無線通信する（ステップＳ１１１）。
【００６９】
次いで、制御部２０４は、ＱＲコード５０１を使用した無線接続を行ったため、ＱＲコード５０１の残り使用回数Ｘ´を１減ずる（ステップＳ１１２）。
【００７０】
Ｘ´＝０の場合（ステップＳ１０９のＮｏ）、ＱＲコード５０１専用のＳＳＩＤ６０１が既に削除されているため、通信部２０５は携帯型情報端末３００と無線通信しない（ステップＳ１１０）。制御部２０４は、ＱＲコード５０１を使用した接続処理を終了する。
【００７１】
以下、本発明による接続処理の動作の具体例を、図８と図９を参照して説明する。図８は、第１の実施形態における無線ＬＡＮ接続システム１００の接続処理の動作の具体例を示す説明図である。図９は、第１の実施形態における無線ＬＡＮ接続システム１００の接続処理の動作の具体例を示すフローチャートである。
【００７２】
図８の説明図を参照して、接続処理の動作の具体例の概要を説明する。ユーザは、ＱＲコードを作成するためにパラメータを入力する（ステップＳ２０１）。このとき、使用可能回数６０４には「２」が入力されるとする。無線ＬＡＮ装置２００は、使用可能回数が２回のＱＲコード５０２を作成する（ステップＳ２０２）。
【００７３】
携帯型情報端末３０１は、無線ＬＡＮ装置２００と無線通信するために、作成されたＱＲコード５０２を読み取る（ステップＳ２０３）。取得した設定情報を使用して、携帯型情報端末３０１は無線ＬＡＮ装置２００へ接続を要求する（ステップＳ２０４）。
【００７４】
携帯型情報端末３０１から接続を要求されると、この段階で残り使用回数は２回であるため、無線ＬＡＮ装置２００は、携帯型情報端末３０１と無線接続する（ステップＳ２０５〜ステップＳ２０６）。
【００７５】
携帯型情報端末３０１と接続した後、無線ＬＡＮ装置２００は、残り使用回数を１減ずる。ＱＲコード５０２の残り使用回数は１回となる。
【００７６】
次いで、携帯型情報端末３０２は、無線ＬＡＮ装置２００と無線通信するために、作成されたＱＲコード５０２を読み取る（ステップＳ２０７）。取得した設定情報を使用して、携帯型情報端末３０２は無線ＬＡＮ装置２００へ接続を要求する（ステップＳ２０８）。
【００７７】
携帯型情報端末３０２から接続を要求されると、この段階で残り使用回数は１回であるため、無線ＬＡＮ装置２００は、携帯型情報端末３０２と無線接続する（ステップＳ２０５、ステップＳ２０９）。
【００７８】
携帯型情報端末３０２と接続した後、無線ＬＡＮ装置２００は、残り使用回数を１減ずる。ＱＲコード５０２の残り使用回数は０回となるため、無線ＬＡＮ装置２００は、ＱＲコード５０２専用のＳＳＩＤ６０１を削除する。
【００７９】
次いで、携帯型情報端末３０３は、無線ＬＡＮ装置２００と無線通信するために、作成されたＱＲコード５０２を読み取る（ステップＳ２１０）。取得した設定情報を使用して、携帯型情報端末３０２は無線ＬＡＮ装置２００へ接続を要求する（ステップＳ２１１）。
【００８０】
この段階で、無線ＬＡＮ装置２００にはＱＲコード５０２専用のＳＳＩＤ６０１が既に存在しない。よって、無線ＬＡＮ装置２００は、携帯型情報端末３０３と無線接続しない（ステップＳ２０５、ステップＳ２１２）。
【００８１】
携帯型情報端末３０３には、無線ＬＡＮ装置２００と接続するために、新たに作成されたＱＲコードを読み取るか別の接続方法を使用することが求められる。
【００８２】
次に、図９のフローチャートを参照して、第１の実施形態における接続処理の動作の具体例を説明する。ステップＳ３０１〜ステップＳ３０６の処理については、上記で述べた内容と同様であるため説明を省略する。
【００８３】
携帯型情報端末３０１、携帯型情報端末３０２がＱＲコード５０２を読み取り（ステップＳ３０７）、無線ＬＡＮ装置２００へ接続要求を行った時（ステップＳ３０８）、残り使用回数Ｘ´はＸ´＞０である（ステップＳ３０９のＹｅｓ）。よって、制御部２０４は、ステップＳ３１１へと処理を進める。
【００８４】
携帯型情報端末３０３がＱＲコード５０２を読み取り（ステップＳ３０７）、無線ＬＡＮ装置２００へ接続要求を行った時（ステップＳ３０８）、残り使用回数Ｘ´はＸ´＝０である（ステップＳ３０９のＮｏ）。よって、制御部２０４は、ステップＳ３１０へと処理を進める。
【００８５】
本実施形態の無線ＬＡＮ接続システムを使用する場合、ＱＲコードが不正に使用される可能性を低減できる。仮にＱＲコードが盗み取られた場合でも、使用回数制限があるため、長期間悪用されずに済む。
【００８６】
本実施形態の無線ＬＡＮ接続システムを使用する場合、ＱＲコードを作成する際に乱数を使用しているため、同じＳＳＩＤと暗号キーを入力した場合でも異なるＱＲコードを生成できる。よって、安全面の強化が図られる。
【００８７】
実施形態２．
次に、本発明の第２の実施形態を説明する。なお、本発明の第２の実施形態における無線ＬＡＮ接続システム１００の構成例は、第１の実施形態における説明と同様なため説明を省略する。
【００８８】
ここでは、ＱＲコードを作成する際にユーザが使用可能期間６０５を入力し、ＱＲコードが生成されてから所定の時間が経過した後、そのＱＲコードを読み取ることで行われる接続処理を不可にする仕組みについて説明する。なお、使用可能期間６０５の単位は「時間（ｈｏｕｒ）」とする。
【００８９】
図１０は、第２の実施形態における無線ＬＡＮ装置２００に保存されている設定情報の一例を示す説明図である。図１０に示す（ＱＲ＿ｃｏｄｅ）は、ＱＲコードに含まれている値を意味する。
【００９０】
図１０は、ＱＲコードを作成する際に使用可能期間６０５が入力され、入力された使用可能期間６０５が「１０」、生成された乱数６０６が「１２３４５６」である場合の設定情報を示す。
【００９１】
図１０に示すように、ＱＲコードを作成する際に使用可能期間６０５が入力された場合のＳＳＩＤ６０１は、入力されたＳＳＩＤ＋入力されたＱＲコードの使用可能期間となる。暗号キー６０３は、図５と同様に、入力された暗号キー＋乱数６０６となる。
【００９２】
ＳＳＩＤ種別６０７がＳＳＩＤ（Ｑ）のＳＳＩＤ６０１は、残り使用期間が０になったとき、制御部２０４により自動的に削除される。すなわち、作成されたＱＲコードを使用して接続を要求しても、使用可能期間が過ぎていれば、既に専用のＳＳＩＤ６０１が削除されているため、携帯型情報端末３００は接続できない。
【００９３】
以下、本発明による接続処理の動作を、図１１と図１２を参照して説明する。図１１は、第２の実施形態における無線ＬＡＮ接続システム１００の接続処理の動作を示す説明図である。図１２は、第２の実施形態における無線ＬＡＮ接続システム１００の接続処理の動作を示すフローチャートである。
【００９４】
図１１の説明図を参照して、第２の実施形態における接続処理の動作の概要を説明する。ユーザは、無線ＬＡＮ装置２００用のＱＲコード５０３を作成するためにパラメータを入力する（ステップＳ４０１）。
【００９５】
ユーザが入力する項目は、ＭＡＣアドレス６００、ＳＳＩＤ６０１、暗号モード６０２、暗号キー６０３、使用可能期間６０５の５項目である。ＭＡＣアドレス６００、ＳＳＩＤ６０１、暗号モード６０２および暗号キー６０３には、無線ＬＡＮ装置２００の情報が入力される。使用可能期間６０５には、ユーザが決めた任意の期間が入力される。
【００９６】
ユーザが５つのパラメータを入力すると、無線ＬＡＮ装置２００が自動的に乱数６０６を生成する。パラメータが全て用意されると、無線ＬＡＮ装置２００がＱＲコード５０３を作成する（ステップＳ４０２）。
【００９７】
携帯型情報端末３００は、無線ＬＡＮ装置２００と無線通信するために、作成されたＱＲコード５０３を読み取る（ステップＳ４０３）。ＱＲコード５０３を読み取ることで、携帯型情報端末３００は無線通信するために必要な設定情報を取得する。取得した設定情報を使用して、携帯型情報端末３００は無線ＬＡＮ装置２００へ接続を要求する（ステップＳ４０４）。
【００９８】
携帯型情報端末３００から接続を要求されると、無線ＬＡＮ装置２００は、読み取られたＱＲコード５０３の残り使用期間が０より大きければ携帯型情報端末３００と接続する。残り使用期間が０であれば、無線ＬＡＮ装置２００は、携帯型情報端末３００と接続しない（ステップＳ４０５）。
【００９９】
次に、図１２のフローチャートを参照して、第２の実施形態における接続処理の動作を説明する。ユーザは、入力部２０１に無線ＬＡＮ装置２００用のＱＲコード５０３を生成するためのパラメータを入力する（ステップＳ５０１）。ここでは、使用可能期間６０５にＹが入力されるとする。
【０１００】
パラメータが入力されると、作成部２０２は、ＱＲコード５０３を作成するために必要な乱数６０６を生成する（ステップＳ５０２）。パラメータが全て揃うと、作成部２０２は、ＱＲコード５０３を作成する（ステップＳ５０３）。
【０１０１】
ＱＲコード５０３が作成されると、制御部２０４は、出力部２０３からＱＲコード５０３を出力する（ステップＳ５０４）。また、制御部２０４は、ＱＲコード５０３のデータを記憶部２０６に保存する（ステップＳ５０５）。
【０１０２】
制御部２０４は、ＱＲコード５０３の残り使用期間Ｙ´を保存する。使用可能期間６０５はＹなので、制御部２０４は、Ｙ´＝Ｙとする（ステップＳ５０６）。残り使用期間を保存すると、制御部２０４は、残り使用期間を減少させる処理を開始する（ステップＳ５０７）。
【０１０３】
携帯型情報端末３００は、無線ＬＡＮ装置２００と無線通信するために、作成されたＱＲコード５０３を読み取る（ステップＳ５０８）。ＱＲコード５０３から読み取った設定情報を用いて、携帯型情報端末３００は、無線ＬＡＮ装置２００へ接続を要求する（ステップＳ５０９）。
【０１０４】
携帯型情報端末３００から接続を要求されると、ＱＲコード５０３の残り使用期間Ｙ´がＹ´＞０の場合（ステップＳ５１０のＹｅｓ）、ＱＲコード５０３専用のＳＳＩＤ６０１が存在するため、通信部２０５は携帯型情報端末３００と無線通信する（ステップＳ５１２）。
【０１０５】
Ｙ´＝０の場合（ステップＳ５１０のＮｏ）、ＱＲコード５０３専用のＳＳＩＤ６０１が既に削除されているため、通信部２０５は携帯型情報端末３００と無線通信しない（ステップＳ５１１）。制御部２０４は、ＱＲコード５０３を使用した接続処理を終了する。
【０１０６】
実施形態３．
次に、本発明の第３の実施形態を説明する。なお、本発明の第３の実施形態における無線ＬＡＮ接続システム１００の構成例は、第１の実施形態における説明と同様なため説明を省略する。
【０１０７】
ここでは、ＱＲコードを作成する際にユーザが使用可能回数６０４と使用可能期間６０５とを入力し、そのＱＲコードを読み取ることで行われる接続処理の仕組みについて説明する。なお、使用可能期間６０５の単位は「時間（ｈｏｕｒ）」とする。
【０１０８】
図１３は、第３の実施形態における無線ＬＡＮ装置２００に保存されている設定情報の一例を示す説明図である。図１３に示す（ＱＲ＿ｃｏｄｅ）は、ＱＲコードに含まれている値を意味する。
【０１０９】
図１３は、ＱＲコードを作成する際に使用可能回数６０４と使用可能期間６０５とが入力され、入力された使用可能回数６０４が「１回」、入力された使用可能期間６０５が「１０」、生成された乱数６０６が「１２３４５６」である場合の設定情報を示す。
【０１１０】
図１３に示すように、ＱＲコードを作成する際に使用可能回数６０４と使用可能期間６０５とが入力された場合のＳＳＩＤ６０１は、入力されたＳＳＩＤ＋入力されたＱＲコードの使用可能回数＋入力されたＱＲコードの使用可能期間となる。暗号キー６０３は、図５と同様に、入力された暗号キー＋乱数６０６となる。
【０１１１】
ＳＳＩＤ種別６０７がＳＳＩＤ（Ｑ）のＳＳＩＤ６０１は、残り使用期間が０になったとき、または残り使用回数が０になったとき、制御部２０４により自動的に削除される。すなわち、作成されたＱＲコードを使用して接続を要求しても、使用可能期間が過ぎていれば、または使用可能回数が上限に達していれば、既に専用のＳＳＩＤ６０１が削除されているため、携帯型情報端末３００は接続できない。
【０１１２】
以下、本発明による接続処理の動作を、図１４と図１５を参照して説明する。図１４は、第３の実施形態における無線ＬＡＮ接続システム１００の接続処理の動作を示す説明図である。図１５は、第３の実施形態における無線ＬＡＮ接続システム１００の接続処理の動作を示すフローチャートである。
【０１１３】
図１４の説明図を参照して、第３の実施形態における接続処理の動作の概要を説明する。ユーザは、無線ＬＡＮ装置２００用のＱＲコード５０４を作成するためにパラメータを入力する（ステップＳ６０１）。
【０１１４】
ユーザが入力する項目は、ＭＡＣアドレス６００、ＳＳＩＤ６０１、暗号モード６０２、暗号キー６０３、使用可能回数６０４、使用可能期間６０５の６項目である。ＭＡＣアドレス６００、ＳＳＩＤ６０１、暗号モード６０２および暗号キー６０３には、無線ＬＡＮ装置２００の情報が入力される。使用可能回数６０４には、ユーザが決めた任意の回数が入力される。使用可能期間６０５には、ユーザが決めた任意の期間が入力される。
【０１１５】
ユーザが６つのパラメータを入力すると、無線ＬＡＮ装置２００が自動的に乱数６０６を生成する。パラメータが全て用意されると、無線ＬＡＮ装置２００がＱＲコード５０４を作成する（ステップＳ６０２）。
【０１１６】
携帯型情報端末３００は、無線ＬＡＮ装置２００と無線通信するために、作成されたＱＲコード５０４を読み取る（ステップＳ６０３）。ＱＲコード５０４を読み取ることで、携帯型情報端末３００は無線通信するために必要な設定情報を取得する。取得した設定情報を使用して、携帯型情報端末３００は無線ＬＡＮ装置２００へ接続を要求する（ステップＳ６０４）。
【０１１７】
携帯型情報端末３００から接続を要求されると、無線ＬＡＮ装置２００は、読み取られたＱＲコード５０４の残り使用期間が０であれば、携帯型情報端末３００と接続しない（ステップＳ６０５）。
【０１１８】
読み取られたＱＲコード５０４の残り使用期間が０より大きい場合、無線ＬＡＮ装置２００は、読み取られたＱＲコード５０４の残り使用回数が０より大きければ、携帯型情報端末３００と接続する。残り使用回数が０であれば、無線ＬＡＮ装置２００は、携帯型情報端末３００と接続しない（ステップＳ６０６）。
【０１１９】
次に、図１５のフローチャートを参照して、第３の実施形態における接続処理の動作を説明する。ユーザは、入力部２０１に無線ＬＡＮ装置２００用のＱＲコード５０４を生成するためのパラメータを入力する（ステップＳ７０１）。ここでは、使用可能回数６０４にＸが、使用可能期間６０５にＹがそれぞれ入力されるとする。
【０１２０】
パラメータが入力されると、作成部２０２は、ＱＲコード５０４を作成するために必要な乱数６０６を生成する（ステップＳ７０２）。パラメータが全て揃うと、作成部２０２は、ＱＲコード５０４を作成する（ステップＳ７０３）。
【０１２１】
ＱＲコード５０４が作成されると、制御部２０４は、出力部２０３からＱＲコード５０４を出力する（ステップＳ７０４）。また、制御部２０４は、ＱＲコード５０４のデータを記憶部２０６に保存する（ステップＳ７０５）。
【０１２２】
制御部２０４は、ＱＲコード５０４の残り使用回数Ｘ´と残り使用期間Ｙ´とをそれぞれ保存する。使用可能回数６０４はＸなので、制御部２０４は、Ｘ´＝Ｘとする（ステップＳ７０６）。使用可能期間６０５はＹなので、制御部２０４は、Ｙ´＝Ｙとする（ステップＳ７０７）。
【０１２３】
残り使用期間を保存すると、制御部２０４は、残り使用期間を減少させる処理を開始する（ステップＳ７０８）。
【０１２４】
携帯型情報端末３００は、無線ＬＡＮ装置２００と無線通信するために、作成されたＱＲコード５０４を読み取る（ステップＳ７０９）。ＱＲコード５０４から読み取った設定情報を用いて、携帯型情報端末３００は、無線ＬＡＮ装置２００へ接続を要求する（ステップＳ７１０）。
【０１２５】
携帯型情報端末３００から接続を要求されると、ＱＲコード５０４の残り使用期間Ｙ´がＹ´＝０の場合（ステップＳ７１１のＮｏ）、ＱＲコード５０４専用のＳＳＩＤ６０１が既に削除されているため、通信部２０５は携帯型情報端末３００と無線通信しない（ステップＳ７１５）。制御部２０４は、ＱＲコード５０４を使用した接続処理を終了する。Ｙ´＞０の場合（ステップＳ７１１のＹｅｓ）、制御部２０４は、ステップＳ７１２へ処理を進める。
【０１２６】
ＱＲコード５０４の残り使用回数Ｘ´がＸ´＞０の場合（ステップＳ７１２のＹｅｓ）、ＱＲコード５０４専用のＳＳＩＤ６０１が存在するため、通信部２０５は携帯型情報端末３００と無線通信する（ステップＳ７１３）。
【０１２７】
次いで、制御部２０４は、ＱＲコード５０４を使用した無線接続を行ったため、ＱＲコード５０４の残り使用回数Ｘ´を１減ずる（ステップＳ７１４）。
【０１２８】
Ｘ´＝０の場合（ステップＳ７１２のＮｏ）、ＱＲコード５０４専用のＳＳＩＤ６０１が既に削除されているため、通信部２０５は携帯型情報端末３００と無線通信しない（ステップＳ７１５）。制御部２０４は、ＱＲコード５０４を使用した接続処理を終了する。
【０１２９】
本実施形態の無線ＬＡＮ接続システムを使用する場合、使用可能回数を設定してＱＲコードを生成した場合に、使用回数が残っている状態でＱＲコードが不正に使用される可能性を低減できる。
【０１３０】
次に、本発明の概要を説明する。図１６は、本発明による無線ＬＡＮ接続システムの概要を示すブロック図である。本発明による無線ＬＡＮ接続システム１は、外部端末と無線ＬＡＮ通信を行う通信部４（例えば、通信部２０５）と、外部端末が通信部４と無線ＬＡＮ通信を行う際に利用される、無線ＬＡＮ通信に必要な設定情報を格納した識別子を作成する作成部３（例えば、作成部２０２）と、識別子に格納された設定情報を記憶し、所定の条件に従って設定情報を削除する記憶部５（例えば、記憶部２０６）とを含む無線ＬＡＮ通信端末２（例えば、無線ＬＡＮ装置２００）を備える。
【０１３１】
そのように構成されている場合には、無線ＬＡＮ接続システム１は、ＱＲコードを利用した無線ＬＡＮ接続が不正に行われる可能性を低減できる。
【０１３２】
設定情報には識別子の使用可能回数が含まれ、所定の条件は使用可能回数が０であり、記憶部５は、外部端末が識別子を利用して無線ＬＡＮ通信を行った回数を使用可能回数から減じてもよい。
【０１３３】
そのように構成されている場合には、無線ＬＡＮ接続システム１は、ＱＲコードが所定の回数だけ利用された後に、そのＱＲコードを利用した無線ＬＡＮ接続を拒否できる。
【０１３４】
設定情報には識別子の使用可能時間が含まれ、所定の条件は使用可能時間が０であり、記憶部５は、使用可能時間を管理してもよい。
【０１３５】
そのように構成されている場合には、無線ＬＡＮ接続システム１は、所定の時間の経過後に、ＱＲコードを利用した無線ＬＡＮ接続を拒否できる。
【０１３６】
無線ＬＡＮ通信端末２は、設定情報を入力する入力部を含んでいてもよい。
【０１３７】
そのように構成されている場合には、ユーザが、識別子に対して任意の使用可能回数または任意の使用可能時間を設定できる。
【符号の説明】
【０１３８】
１、１００  無線ＬＡＮ接続システム
２  無線ＬＡＮ通信端末
３  作成部
４  通信部
５  記憶部
２００  無線ＬＡＮ装置
２０１  入力部
２０２  作成部
２０３  出力部
２０４  制御部
２０５  通信部
２０６  記憶部
３００〜３１０  携帯型情報端末
４００  通信網
５００〜５０４  ＱＲコード
６００  ＭＡＣアドレス
６０１  ＳＳＩＤ
６０２  暗号モード
６０３  暗号キー
６０４  使用可能回数
６０５  使用可能期間
６０６  乱数
６０７  ＳＳＩＤ種別
【図１】
2014140101.tif 000003
【図２】
2014140101.tif 000004
【図３】
2014140101.tif 000005
【図４】
2014140101.tif 000006
【図５】
2014140101.tif 000007
【図６】
2014140101.tif 000008
【図７】
2014140101.tif 000009
【図８】
2014140101.tif 000010
【図９】
2014140101.tif 000011
【図１０】
2014140101.tif 000012
【図１１】
2014140101.tif 000013
【図１２】
2014140101.tif 000014
【図１３】
2014140101.tif 000015
【図１４】
2014140101.tif 000016
【図１５】
2014140101.tif 000017
【図１６】
2014140101.tif 000018